(57)【要約】【課題】冷却液流路の幅方向の流量を均一化しうる液冷式冷却装置を提供する。【解決手段】液冷式冷却装置１のケーシング２内の冷却液流路３に配置された放熱器６は、互いに間隔をおいて並列状に配置され、かつ長手方向を冷却液流路３における冷却液の流れ方向に向けるとともに幅方向を上下方向に向けた状態で板厚方向に間隔をおいて配置された複数の縦長方形状フィンプレート11を有している。全フィンプレート11のうちの一部の連続して並んだ複数のフィンプレート11のみにまたがるように、冷却液流路３の幅よりも短い少なくとも１つの棒状の流量均一化部材13を配置する。流量均一化部材13を、フィンプレート11の上下両側縁部のうちいずれか一方の側縁部に形成された切り欠き15内に嵌め入れる。【選択図】図１
2015225953.tif 000002
【特許請求の範囲】
【請求項１】
頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシングに、入口ヘッダ部に通じる冷却液入口および出口ヘッダ部に通じる冷却液出口が形成され、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置されている液冷式冷却装置において、
放熱器が、互いに間隔をおいて並列状に配置され、かつ長手方向を冷却液流路における冷却液の流れ方向に向けるとともに幅方向を上下方向に向けた状態で板厚方向に間隔をおいて配置された複数の縦長方形状フィンプレートを有し、全フィンプレートのうちの一部の連続して並んだ複数のフィンプレートのみにまたがるように、冷却液流路の幅よりも短い少なくとも１つの棒状流量均一化部材が配置されており、流量均一化部材が、フィンプレートの上下両側縁部のうちいずれか一方の側縁部に形成された切り欠き内に嵌め入れられている液冷式冷却装置。
【請求項２】
入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、１つの流量均一化部材が、冷却液流路の冷却液流れ方向上流側または下流側において、冷却液流路における冷却液入口側および冷却液出口側の端部から一定の範囲内に配置されている請求項１記載の液冷式冷却装置。
【請求項３】
入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、長さの異なる複数の流量均一化部材が、冷却液流路の冷却液流れ方向上流側または下流側において、冷却液流路における冷却液入口側および冷却液出口側の端部から一定の範囲内に配置されている請求項１記載の液冷式冷却装置。
【請求項４】
長さの異なる２つの流量均一化部材を有しており、冷却液流路の冷却液流れ方向上流側に一方の流量均一化部材が配置されるとともに、同上流側に他方の流量均一化部材が配置されている請求項３記載の液冷式冷却装置。
【請求項５】
入口ヘッダ部および出口ヘッダ部が、冷却液流路における冷却液の流れ方向と直角をなす方向に長くなっており、入口ヘッダ部の長手方向の中間部に冷却液入口が設けられるとともに、出口ヘッダ部の長手方向の中間部に冷却液出口が設けられ、１つの流量均一化部材が、冷却液流路の冷却液流れ方向上流側または下流側において、冷却液流路の幅方向の一定の範囲内に配置されている請求項１記載の液冷式冷却装置。
【請求項６】
入口ヘッダ部および出口ヘッダ部が、冷却液流路における冷却液の流れ方向と直角をなす方向に長くなっており、入口ヘッダ部の長手方向の中間部に冷却液入口が設けられるとともに、出口ヘッダ部の長手方向の中間部に冷却液出口が設けられ、長さの異なる複数の流量均一化部材が、冷却液流路の冷却液流れ方向上流側または下流側において、冷却液流路の幅方向の一定の範囲内に配置されている請求項１記載の液冷式冷却装置。
【請求項７】
長さの異なる２つの流量均一化部材を有しており、冷却液流路の冷却液流れ方向上流側に一方の流量均一化部材が配置されるとともに、同上流側に他方の流量均一化部材が配置されている請求項６記載の液冷式冷却装置。
【請求項８】
冷却液入口と冷却液出口とが入口ヘッダ部および出口ヘッダ部の長手方向の同一位置にあり、流量均一化部材が、冷却液入口および冷却液出口における入口ヘッダ部および出口ヘッダ部の長手方向の幅よりも長尺であり、冷却液入口および冷却液出口が、流量均一化部材の全長の範囲内に位置している請求項５〜７のうちのいずれかに記載の液冷式冷却装置。
【請求項９】
放熱器が、フィンプレートの長手方向と交差する方向にのび、かつ全フィンプレートを連結一体化する２つの棒状連結部材を備えており、フィンプレートの幅方向両側縁部のうち一方の側縁部に、少なくとも１つの連結部材用切り欠きが、流量均一化部材を嵌め入れる切り欠きとは干渉しないように形成され、フィンプレートの幅方向両側縁部のうち他方の側縁部に、少なくとも１つの連結部材用切り欠きが、前記一方の側縁部の切り欠きとはフィンプレートの長手方向にずれた位置に、流量均一化部材を嵌め入れる切り欠きとは干渉しないように形成され、連結部材が、全フィンプレートの両側縁部の連結部材用切り欠き内に圧入されており、全フィンプレートが連結部材により連結一体化されている請求項１〜８のうちのいずれかに記載の液冷式冷却装置。
【請求項１０】
各フィンプレートの幅方向と直交する平面で切断した形状が波形であって、波頂部および波底部が交互に形成されており、冷却液が、隣り合う２つのフィンプレート間を蛇行状に流れるようになされている請求項１〜９のうちのいずれかに記載の液冷式冷却装置用放熱器。
【発明の詳細な説明】
【技術分野】
【０００１】
この発明は、たとえば半導体素子などの電子部品からなる発熱体を冷却する液冷式冷却装置に関する。
【０００２】
この明細書および特許請求の範囲において、図２の上下を上下というもとのとする。
【背景技術】
【０００３】
たとえば、電気自動車、ハイブリッド自動車、電車などに搭載される電力変換装置に用いられるＩＧＢＴ（Insulated Gate Bipolar Transistor）などのパワーデバイス（半導体素子）を冷却する液冷式冷却装置として、特許文献１記載のものが提案されている。
【０００４】
特許文献１記載の液冷式冷却装置は、頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置され、入口ヘッダ部および出口ヘッダ部が、冷却液流路における冷却液の流れ方向と直角をなす方向に長くなっており、入口ヘッダ部の長手方向の中央部に冷却液入口が設けられるとともに、出口ヘッダ部の長手方向の中央部でかつ両ヘッダ部の長手方向に関して冷却液入口と同一位置に冷却液出口が設けられ、放熱器が、互いに間隔をおいて並列状に配置されるとともに上下両側縁部がケーシングの頂壁および底壁にろう付された複数の縦長方形状フィンプレートからなり、端部のフィンプレートを除いたフィンプレートの両面には、複数の凸部が点在するように設けられ、隣り合うフィンプレートの凸部どうしが接触した状態でろう付されている。
【０００５】
しかしながら、特許文献１記載の液冷式冷却装置においては、入口ヘッダ部および出口ヘッダ部が、冷却液流路における冷却液の流れ方向と直角をなす方向に長くなっており、入口ヘッダ部の長手方向の中央部に冷却液入口が設けられるとともに、出口ヘッダ部の長手方向の中央部でかつ冷却液入口と対応する位置に冷却液出口が設けられているので、冷却液入口から入口ヘッダ部内に流入した冷却液は、冷却液流路における冷却液入口および冷却液出口に近い部分を流れやすくなるとともに、冷却液入口および冷却液出口から遠い部分には流れにくくなる。したがって、冷却液流路の幅方向に流量が不均一になり、流量が低下した部分において冷却性能が低下するという問題がある。この問題は、冷却液流路の幅が比較的広い場合に顕著になる。
【先行技術文献】
【特許文献】
【０００６】
【特許文献１】特開２０１２−３７１３６号公報
【発明の概要】
【発明が解決しようとする課題】
【０００７】
この発明の目的は、上記問題を解決し、冷却液流路の幅方向の流量を均一化しうる液冷式冷却装置を提供することにある。
【課題を解決するための手段】
【０００８】
本発明は、上記目的を達成するために以下の態様からなる。
【０００９】
1)頂壁、底壁および周壁を有するケーシングを備えており、ケーシング内に、冷却液が流れる冷却液流路と、冷却液流路よりも上流側に位置しかつ冷却液が流入する入口ヘッダ部と、冷却液流路よりも下流側に位置しかつ冷却液が流出する出口ヘッダ部とが設けられており、ケーシングに、入口ヘッダ部に通じる冷却液入口および出口ヘッダ部に通じる冷却液出口が形成され、ケーシング内の冷却液流路に、ケーシングの頂壁外面および底壁外面のうち少なくともいずれか一方に取り付けられる発熱体から発せられる熱を、冷却液流路を流れる冷却液に放熱する放熱器が配置されている液冷式冷却装置において、
放熱器が、互いに間隔をおいて並列状に配置され、かつ長手方向を冷却液流路における冷却液の流れ方向に向けるとともに幅方向を上下方向に向けた状態で板厚方向に間隔をおいて配置された複数の縦長方形状フィンプレートを有し、全フィンプレートのうちの一部の連続して並んだ複数のフィンプレートのみにまたがるように、冷却液流路の幅よりも短い少なくとも１つの棒状流量均一化部材が配置されており、流量均一化部材が、フィンプレートの上下両側縁部のうちいずれか一方の側縁部に形成された切り欠き内に嵌め入れられている液冷式冷却装置。
【００１０】
2)入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、１つの流量均一化部材が、冷却液流路の冷却液流れ方向上流側または下流側において、冷却液流路における冷却液入口側および冷却液出口側の端部から一定の範囲内に配置されている上記1)記載の液冷式冷却装置。
【００１１】
3)入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられ、長さの異なる複数の流量均一化部材が、冷却液流路の冷却液流れ方向上流側または下流側において、冷却液流路における冷却液入口側および冷却液出口側の端部から一定の範囲内に配置されている上記1)記載の液冷式冷却装置。
【００１２】
4)長さの異なる２つの流量均一化部材を有しており、冷却液流路の冷却液流れ方向上流側に一方の流量均一化部材が配置されるとともに、同上流側に他方の流量均一化部材が配置されている上記3)記載の液冷式冷却装置。
【００１３】
5)入口ヘッダ部および出口ヘッダ部が、冷却液流路における冷却液の流れ方向と直角をなす方向に長くなっており、入口ヘッダ部の長手方向の中間部に冷却液入口が設けられるとともに、出口ヘッダ部の長手方向の中間部に冷却液出口が設けられ、１つの流量均一化部材が、冷却液流路の冷却液流れ方向上流側または下流側において、冷却液流路の幅方向の一定の範囲内に配置されている上記1)記載の液冷式冷却装置。
【００１４】
6)入口ヘッダ部および出口ヘッダ部が、冷却液流路における冷却液の流れ方向と直角をなす方向に長くなっており、入口ヘッダ部の長手方向の中間部に冷却液入口が設けられるとともに、出口ヘッダ部の長手方向の中間部に冷却液出口が設けられ、長さの異なる複数の流量均一化部材が、冷却液流路の冷却液流れ方向上流側または下流側において、冷却液流路の幅方向の一定の範囲内に配置されている上記1)記載の液冷式冷却装置。
【００１５】
7)長さの異なる２つの流量均一化部材を有しており、冷却液流路の冷却液流れ方向上流側に一方の流量均一化部材が配置されるとともに、同上流側に他方の流量均一化部材が配置されている上記6)記載の液冷式冷却装置。
【００１６】
8)冷却液入口と冷却液出口とが入口ヘッダ部および出口ヘッダ部の長手方向の同一位置にあり、流量均一化部材が、冷却液入口および冷却液出口における入口ヘッダ部および出口ヘッダ部の長手方向の幅よりも長尺であり、冷却液入口および冷却液出口が、流量均一化部材の全長の範囲内に位置している上記5)〜7)のうちのいずれかに記載の液冷式冷却装置。
【００１７】
9)放熱器が、フィンプレートの長手方向と交差する方向にのび、かつ全フィンプレートを連結一体化する２つの棒状連結部材を備えており、フィンプレートの幅方向両側縁部のうち一方の側縁部に、少なくとも１つの連結部材用切り欠きが、流量均一化部材を嵌め入れる切り欠きとは干渉しないように形成され、フィンプレートの幅方向両側縁部のうち他方の側縁部に、少なくとも１つの連結部材用切り欠きが、前記一方の側縁部の切り欠きとはフィンプレートの長手方向にずれた位置に、流量均一化部材を嵌め入れる切り欠きとは干渉しないように形成され、連結部材が、全フィンプレートの両側縁部の連結部材用切り欠き内に圧入されており、全フィンプレートが連結部材により連結一体化されている上記1)〜8)のうちのいずれかに記載の液冷式冷却装置。
【００１８】
10)各フィンプレートの幅方向と直交する平面で切断した形状が波形であって、波頂部および波底部が交互に形成されており、冷却液が、隣り合う２つのフィンプレート間を蛇行状に流れるようになされている上記1)〜9)のうちのいずれかに記載の液冷式冷却装置用放熱器。
【発明の効果】
【００１９】
上記1)〜10)の液冷式冷却装置によれば、放熱器が、互いに間隔をおいて並列状に配置され、かつ長手方向を冷却液流路における冷却液の流れ方向に向けるとともに幅方向を上下方向に向けた状態で板厚方向に間隔をおいて配置された複数の縦長方形状フィンプレートを有し、全フィンプレートのうちの一部の連続して並んだ複数のフィンプレートのみにまたがるように、冷却液流路の幅よりも短い少なくとも１つの棒状流量均一化部材が配置されているので、冷却液流路の幅方向の流量分布を均一化することが可能になる。すなわち、流量均一化部材を、冷却液入口および冷却液出口が設けられた位置関係によって、冷却液流路の幅方向における冷却液が流れやすくなる部分に配置しておくと、流量均一化部材が冷却液の流れに対する抵抗となり、冷却液入口から入口ヘッダ部内に流入した冷却液は、冷却液流路における流量均一化部材が配置された部分を流れにくくなるとともに、流量均一化部材が配置されていない部分を流れやすくなり、その結果、冷却液流路の幅方向の流量分布を均一化することが可能になる。したがって、流量分布が不均一になった場合の冷却性能のばらつきを抑制することができる。
【００２０】
また、流量均一化部材が、フィンプレートの上下両側縁部のうちいずれか一方の側縁部に形成された切り欠き内に嵌め入れられているので、比較的簡単に、流量均一化部材を全フィンプレートのうちの一部の連続して並んだ複数のフィンプレートのみにまたがるように配置することができる。
【００２１】
さらに、全フィンプレートの厚みおよび形状を、冷却性能を向上させる上で効果的な厚みおよび形状とすることが可能になる。たとえば、各フィンプレートの幅方向と直交する平面で切断した形状を波形とし、波頂部および波底部が交互に形成されたものにすると、冷却液が、隣り合う２つのフィンプレート間を、フィンプレートに沿って蛇行状に流れることになり、フィンプレートにおける伝熱に有効に働く面積が効果的に増大し、冷却性能を向上させることができる。
【００２２】
上記2)の液冷式冷却装置のように、入口ヘッダ部および出口ヘッダ部が、冷却液流路における冷却液の流れ方向と直角をなす方向に長くなっており、入口ヘッダ部の一端部側に冷却液入口が設けられるとともに、出口ヘッダ部における冷却液入口と同一端部側に冷却液出口が設けられていると、冷却液入口からケーシング内の入口ヘッダ部内に流入した冷却液は、冷却液流路における冷却液入口および冷却液出口が設けられた側を流れやすくなるとともに、他側を流れにくくなって、冷却液流路の幅方向の流量分布が不均一になり、流量が低減した部分において冷却性能が低下する。しかしながら、上記2)の液冷式冷却装置のように、１つの流量均一化部材が、冷却液流路の冷却液流れ方向上流側または下流側において、冷却液流路における冷却液入口側および冷却液出口側の端部から一定の範囲内に配置されていると、流量均一化部材が冷却液の流れに対する抵抗になるので、冷却液入口から入口ヘッダ部内に流入した冷却液は、冷却液流路における流量均一化部材が配置された部分を流れにくくなるとともに、流量均一化部材が配置されていない部分を流れやすくなる。したがって、冷却液流路の幅方向の流量分布を均一化することが可能になり、流量分布が不均一になった場合の冷却性能のばらつきを抑制することができる。
【００２３】
上記3)および4)の液冷式冷却装置によれば、冷却液流路の冷却液流れ方向上流側または下流側において、冷却液流路における冷却液入口側および冷却液出口側の端部から一定の範囲内に配置された長さの異なる複数の流量均一化部材の働きによって、冷却液流路の幅方向の流量分布を効果的に均一化することが可能になり、流量分布が不均一になった場合の冷却性能のばらつきを効果的に抑制することができる。
【００２４】
上記5)の液冷式冷却装置のように、入口ヘッダ部および出口ヘッダ部が、冷却液流路における冷却液の流れ方向と直角をなす方向に長くなっており、入口ヘッダ部の長手方向の中間部に冷却液入口が設けられるとともに、出口ヘッダ部の長手方向の中間部に冷却液出口が設けられていると、冷却液入口からケーシング内の入口ヘッダ部内に流入した冷却液は、冷却液流路における冷却液入口および冷却液出口に近い部分を流れやすくなるとともに、冷却液入口および冷却液出口から遠い部分には流れにくくなって、冷却液流路の幅方向の流量分布が不均一になり、流量が低減した部分において冷却性能が低下する。しかしながら、上記5)の液冷式冷却装置のように、１つの流量均一化部材が、冷却液流路の冷却液流れ方向上流側または下流側において、冷却液流路の幅方向の一定の範囲内に配置されていると、流量均一化部材が冷却液の流れに対する抵抗になるので、冷却液入口から入口ヘッダ部内に流入した冷却液は、冷却液流路における流量均一化部材が配置された部分を流れにくくなるとともに、流量均一化部材が配置されていない部分を流れやすくなる。したがって、冷却液流路の幅方向の流量分布を均一化することが可能になり、流量分布が不均一になった場合の冷却性能のばらつきを抑制することができる。
【００２５】
上記6)および7)の液冷式冷却装置によれば、冷却液流路の冷却液流れ方向上流側または下流側において、冷却液流路の幅方向の一定の範囲内に配置され、かつ冷却液入口および冷却液出口における入口ヘッダ部および出口ヘッダ部の長手方向の幅よりも長尺でかつ長さの異なる複数の流量均一化部材の働きによって、冷却液流路の幅方向の流量分布を効果的に均一化することが可能になり、流量分布が不均一になった場合の冷却性能のばらつきを効果的に抑制することができる。
【００２６】
上記8)の液冷式冷却装置のように、冷却液入口と冷却液出口とが入口ヘッダ部および出口ヘッダ部の長手方向の同一位置にあると、冷却液入口からケーシング内の入口ヘッダ部内に流入した冷却液は、特に、冷却液流路における冷却液入口および冷却液出口に近い部分を流れやすくなるとともに、冷却液入口および冷却液出口から遠い部分には流れにくくなって、冷却液流路の幅方向の流量分布がきわめて不均一になる。しかしながら、上記8)の液冷式冷却装置のように、流量均一化部材が、冷却液入口および冷却液出口における入口ヘッダ部および出口ヘッダ部の長手方向の幅よりも長尺であり、冷却液入口および冷却液出口が、流量均一化部材の全長の範囲内に位置していると、流量均一化部材が冷却液の流れに対する抵抗になるので、冷却液入口から入口ヘッダ部内に流入した冷却液は、冷却液流路における流量均一化部材が配置された部分を流れにくくなるとともに、流量均一化部材が配置されていない部分を流れやすくなる。したがって、冷却液流路の幅方向の流量分布を均一化することが可能になり、流量分布が不均一になった場合の冷却性能のばらつきを効果的に抑制することができる。
【００２７】
上記9)の液冷式冷却装置によれば、全フィンプレートを強固に連結一体化することができるので、液冷式冷却装置を製造する際の全フィンプレートの取扱性が向上し、液冷式冷却装置の製造作業が簡単になる。
【００２８】
上記10)の液冷式冷却装置によれば、冷却液が、隣り合う２つのフィンプレート間を、フィンプレートに沿って蛇行状に流れることになり、フィンプレートにおける伝熱に有効に働く面積が効果的に増大し、冷却性能を向上させることができる。
【図面の簡単な説明】
【００２９】
【図１】この発明の実施形態１の液冷式冷却装置の全体構成を示す斜視図である。
【図２】図１のＡ−Ａ線断面図である。
【図３】図２のＢ−Ｂ線断面図である。
【図４】図３のＣ−Ｃ線断面図である。
【図５】図３のＤ−Ｄ線断面図である。
【図６】図１に示す液冷式冷却装置に用いられる放熱器を示す斜視図である。
【図７】この発明の実施形態２の液冷式冷却装置の全体構成を示す図３相当の図である。
【図８】図７のＥ−Ｅ線断面図である。
【図９】図７のＦ−Ｆ線断面図である。
【図１０】この発明の実施形態３の液冷式冷却装置の全体構成を示す図３相当の図である。
【図１１】図１０のＧ−Ｇ線断面図である。
【図１２】図１０のＨ−Ｈ線断面図である。
【図１３】この発明の実施形態４の液冷式冷却装置の全体構成を示す図３相当の図である。
【図１４】図１３のＩ−Ｉ線断面図である。
【図１５】図１３のＪ−Ｊ線断面図である。
【発明を実施するための形態】
【００３０】
以下、この発明の実施形態を、図面を参照して説明する。
【００３１】
全図面を通じて同一物および同一部分には同一符号を付す。
【００３２】
この明細書において、「アルミニウム」という用語には、純アルミニウムの他にアルミニウム合金を含むものとする。
【００３３】
また、以下の説明において、図２の左右を左右といい、図３の上側を前、これと反対側を後というものとする。
実施形態１
この実施形態は図１〜図６に示すものである。
【００３４】
図１〜図５は液冷式冷却装置の全体構成を示し、図６は液冷式冷却装置に用いられる放熱器を示す。
【００３５】
図１〜図５において、液冷式冷却装置(1)は、頂壁(2a)、底壁(2b)および周壁(2c)を有するケーシング(2)を備えており、ケーシング(2)内に、冷却液がケーシング(2)の長手方向の片側（右側）から他側（左側）に流れる冷却液流路(3)と、冷却液流路(3)よりも上流側（右側）に位置しかつ冷却液が流入する入口ヘッダ部(4)と、冷却液流路(3)よりも下流側（左側）に位置しかつ冷却液が流出する出口ヘッダ部(5)とが設けられ、ケーシング(2)内の冷却液流路(3)に、ケーシング(2)の頂壁(2a)外面および底壁(2b)外面のうち少なくともいずれか一方、図示の例では頂壁(2a)外面に取り付けられた発熱体(P)から発せられる熱を、冷却液流路(3)を流れる冷却液に放熱する放熱器(6)が配置されている。
【００３６】
詳細な図示は省略したが、ケーシング(2)は、頂壁(2a)および周壁(2c)を構成する下方に開口した箱状のアルミニウム製上構成部材を、底壁(2b)を構成する板状のアルミニウム製下構成部材上にろう付することにより形成されている。上構成部材および下構成部材は、少なくとも一面にろう材層を有するアルミニウムブレージングシートを使用して、ろう材層がケーシング(2)内側に位置するように形成されている。
【００３７】
ケーシング(2)内の入口ヘッダ部(4)および出口ヘッダ部(5)は、それぞれ冷却液流路(3)の幅方向（前後方向）にのびており、ケーシング(2)の周壁(2c)の後側部分における一端部側（左端部側）に、入口ヘッダ部(4)に通じる冷却液入口(7)が形成され、ケーシング(2)の周壁(2c)の後側部分における他端部側（右端部側）に、出口ヘッダ部(5)に通じる冷却液出口(8)が形成されている。冷却液入口(7)および冷却液出口(8)の左右方向の幅は等しくなっている。図示は省略したが、ケーシング(2)の冷却液入口(7)に、入口ヘッダ部(4)内に冷却液を送り込むアルミニウム製入口パイプが接続され、冷却液出口(8)に、出口ヘッダ部(5)内から冷却液を送り出すアルミニウム製出口パイプが接続されている。
【００３８】
発熱体(P)は、ＩＧＢＴなどのパワーデバイスや、ＩＧＢＴが制御回路と一体化されて同一パッケージに収納されたＩＧＢＴモジュールや、ＩＧＢＴモジュールにさらに保護回路が一体化されて同一パッケージに収納されたインテリジェントパワーモジュールなどからなり、絶縁部材(I)を介してケーシング(2)の頂壁外面に取り付けられる。
【００３９】
図２〜図６に示すように、放熱器(6)は、長手方向を冷却液流路(3)における冷却液の流れ方向（左右方向）に向けるとともに幅方向を上下方向に向けた状態で、前後方向に間隔をおいて並列状に配置された複数のアルミニウム製縦長方形状フィンプレート(11)と、長手方向をフィンプレート(11)の長手方向と交差する方向（前後方向）に向けた状態で全フィンプレート(11)に跨るように配置され、かつ全フィンプレート(11)を連結一体化する２つの棒状連結部材(12A)(12B)と、長手方向をフィンプレート(11)の長手方向と交差する方向（前後方向）に向けた状態で全フィンプレート(11)のうちの一部の連続して並んだ複数のフィンプレート(11)のみにまたがるように配置された１つの棒状流量均一化部材(13)とからなる。放熱器(6)の隣り合う２つのフィンプレート(11)間、および両端のフィンプレート(11)とケーシング(2)の周壁(2c)における前後両側部分との間に冷却液が流れる分割流路(14)となっている。
【００４０】
全フィンプレート(11)の上下両側縁部における長手方向両端寄りの部分に、それぞれ切り欠き(15)(16)が形成されており、フィンプレート(11)の一端寄りの部分に形成された上下の切り欠き(15)および(16)がフィンプレート(11)の長手方向の同一位置にあり、同じく他端寄りの部分に形成された上下の切り欠き(15)および(16)がフィンプレート(11)の長手方向の同一位置にある。
【００４１】
一方の連結部材(12A)は、全フィンプレート(11)の上側縁部の左端寄りの部分に形成された切り欠き(15)内に、切り欠き(15)内から突出しないように圧入され、他方の連結部材(12B)は、全フィンプレート(11)の下側縁部の右端寄りの部分に形成された切り欠き(16)内に、切り欠き(16)内から突出しないように圧入されており、これにより全フィンプレート(11)が連結部材(12A)(12B)によって連結一体化されている。すなわち、各連結部材(12A)(12B)は、互いに他方の連結部材(12B)(12A)が圧入されている切り欠き(16)(15)が形成されたフィンプレート(11)の側縁部とは反対側の側縁部に形成され、かつ他方の連結部材(12B)(12A)が圧入されている切り欠き(16)(15)とはフィンプレート(11)の長手方向にずれた位置にある切り欠き(15)(16)内に圧入されている。
【００４２】
フィンプレート(11)の両切り欠き(15)(16)間の部分を、幅方向と直交する平面（水平面）で切断した形状は波形であり、波頂部および波底部が交互に形成されており、冷却液が、隣り合う２つのフィンプレート(11)間を蛇行状に流れるようになされている。全フィンプレート(11)は、上側縁部がケーシング(2)の頂壁(2a)の内面にろう付され、下側縁部がケーシング(2)の底壁(2b)内面にろう付されている。
【００４３】
流量均一化部材(13)は一定の長さ、たとえば冷却液流路(3)の幅のほぼ１／２の長さを有しており、冷却液流路(3)の冷却液流れ方向上流側または下流側、ここでは冷却液流れ方向下流側において、冷却液流路(3)における冷却液入口(7)側および冷却液出口(8)側の端部から一定の範囲内に配置されている。流量均一化部材(13)は、冷却液入口(7)側および冷却液出口(8)側に配置された一定数の複数のフィンプレート(11)における冷却液流れ方向下流側連結部材(12B)が圧入されている切り欠き(16)とは反対の側縁部、図示の例では上側縁部に形成された切り欠き(15)内に圧入されている。
【００４４】
上記構成の液冷式冷却装置(1)において、入口パイプから冷却液入口(7)を通って入口ヘッダ部(4)内に流入した冷却液は、冷却液流路(3)に配置された放熱器(6)の隣り合う２つのフィンプレート(11)間の分割流路(14)に分流し、各分割流路(14)内を右方に流れる。冷却液流路(3)の分割流路(14)を右方に流れた冷却液は、出口ヘッダ部(5)内に入り、冷却液出口(5)を通って出口パイプに送り出される。
【００４５】
液冷式冷却装置(1)においては、冷却液入口(7)と冷却液出口(8)が、入口ヘッダ部(4)および出口ヘッダ部(5)の長手方向の一端部(後端部)に来るように設けられているので、冷却液入口(7)から入口ヘッダ部(4)内に流入した冷却液は、冷却液流路(3)の冷却液入口(7)および冷却液出口(8)に近い後側部分を流れやすくなるとともに、冷却液入口(7)および冷却液出口(8)から遠い部分には流れにくくなる。
【００４６】
しかしながら、一定の長さを有する１つの流量均一化部材(13)が、冷却液流路(3)の冷却液流れ方向上流側または下流側において、冷却液流路(3)における冷却液入口(7)側および冷却液出口(8)側の端部から一定の範囲内に配置されているので、流量均一化部材(13)が冷却液の流れに対する抵抗になる。その結果、冷却液入口(7)から入口ヘッダ部(4)内に流入した冷却液は、冷却液流路(3)における流量均一化部材(13)が配置された部分を流れにくくなるとともに、流量均一化部材(13)が配置されていない部分を流れやすくなる。したがって、冷却液流路(3)の幅方向の流量分布を均一化することが可能になり、流量分布が不均一になった場合の冷却性能のばらつきを抑制することができる。
【００４７】
そして、発熱体(P)から発せられる熱は、絶縁部材(I)、ケーシング(2)の頂壁(2a)および放熱器(6)の各フィンプレート(11)を経て冷却液流路(3)の各分割流路(14)内を流れる冷却液に放熱され、発熱体(P)が冷却される。
【００４８】
実施形態１の液冷式冷却装置(1)において、流量均一化部材(13)は、冷却液流路(3)の冷却液流れ方向上流側に配置されていてもよい。この場合、フィンプレート(11)における冷却液流れ方向上流側連結部材(12A)が圧入されている切り欠き(15)とは反対の側縁部、図示の例では下側縁部に形成された切り欠き(16)内に圧入される。
実施形態２
この実施形態は図７〜図９に示すものである。
【００４９】
図７〜図９は液冷式冷却装置の全体構成を示す。
【００５０】
実施形態２の液冷式冷却装置(20)に用いられている放熱器(21)は、長手方向をフィンプレート(11)の長手方向と交差する方向（前後方向）に向けた状態で全フィンプレート(11)のうちの一部の連続して並んだ複数のフィンプレート(11)のみにまたがるように配置された長さの異なる複数、ここでは２つの流量均一化部材(22)(23)を有している。
【００５１】
一方の流量均一化部材(22)は一定の長さ、たとえば冷却液流路(3)の幅の１／２以上の長さを有しており、冷却液流路(3)の冷却液流れ方向上流側または下流側、ここでは冷却液流れ方向下流側において、冷却液流路(3)における冷却液入口(7)側および冷却液出口(8)側の端部から一定の範囲内に配置されている。当該流量均一化部材(22)は、冷却液入口(7)側および冷却液出口(8)側に配置された一定数の複数のフィンプレート(11)における冷却液流れ方向下流側連結部材(12B)が圧入されている切り欠き(16)とは反対の側縁部、図示の例では上側縁部に形成された切り欠き(15)内に圧入されている。
【００５２】
他方の流量均一化部材(23)は一定の長さ、たとえば冷却液流路(3)の幅の１／２以下でかつ一方の流量均一化部材(22)よりも短い長さを有しており、冷却液流路(3)の冷却液流れ方向上流側または下流側、ここでは冷却液流れ方向上流側において、冷却液流路(3)における冷却液入口(7)側および冷却液出口(8)側の端部から一定の範囲内に配置されている。当該流量均一化部材(23)は、冷却液入口(7)側および冷却液出口(8)側に配置された一定数の複数のフィンプレート(11)における冷却液流れ方向上流側連結部材(12A)が圧入されている切り欠き(15)とは反対の側縁部、図示の例では下側縁部に形成された切り欠き(16)内に圧入されている。
【００５３】
その他の構成は、実施形態１の液冷式冷却装置(1)と同様である。
【００５４】
実施形態２の液冷式冷却装置(20)においては、入口パイプから冷却液入口(7)を通って入口ヘッダ部(4)内に流入した冷却液が、冷却液流路(3)に配置された放熱器(20)の隣り合う２つのフィンプレート(11)間の分割流路(14)内を右方に流れて出口ヘッダ部(5)内に入り、冷却液出口(5)を通って出口パイプに送り出される際に、実施形態１の液冷式冷却装置(1)と同様に、冷却液入口(7)から入口ヘッダ部(4)内に流入した冷却液は、冷却液流路(3)の冷却液入口(7)および冷却液出口(8)に近い後側部分を流れやすくなるとともに、冷却液入口(7)および冷却液出口(8)から遠い部分には流れにくくなる。
【００５５】
しかしながら、２つの流量均一化部材(22)(23)が冷却液の流れに対する抵抗になり、冷却液流路(3)の全幅における両流量均一化部材(22)(23)が存在する部分の抵抗が最も大きく、出口ヘッダ部(5)側の流量均一化部材(22)のみが存在する部分の抵抗が次に大きく、両流量均一化部材(22)(23)が存在しない部分の抵抗は最も小さくなる。その結果、冷却液入口(7)から入口ヘッダ部(4)内に流入した冷却液は、冷却液流路(3)における両流量均一化部材(22)(23)が配置された部分を最も流れにくくなるとともに、出口ヘッダ部(5)側の流量均一化部材(22)のみが存在する部分においても若干流れにくくなり、さらに両流量均一化部材(22)(23)が配置されていない部分を流れやすくなる。したがって、冷却液流路(3)の幅方向の流量分布を効果的に均一化することが可能になり、流量分布が不均一になった場合の冷却性能のばらつきを効果的に抑制することができる。
【００５６】
実施形態２の液冷式冷却装置(20)において、一方の長い流量均一化部材(22)が冷却液流路(3)の冷却液流れ方向上流側に配置され、他方の短い流量均一化部材(23)が冷却液流路(3)の冷却液流れ方向下流側に配置されていてもよい。この場合、長い流量均一化部材(22)は、フィンプレート(11)における冷却液流れ方向上流側連結部材(12A)が圧入されている切り欠き(15)とは反対の側縁部、図示の例では下側縁部に形成された切り欠き(16)内に圧入され、短い流量均一化部材(23)は、フィンプレート(11)における冷却液流れ方向下流側連結部材(12B)が圧入されている切り欠き(16)とは反対の側縁部、図示の例では上側縁部に形成された切り欠き(15)内に圧入される。
実施形態３
この実施形態は図１０〜図１２に示すものである。
【００５７】
図１０〜図１２は液冷式冷却装置の全体構成を示す。
【００５８】
実施形態３の液冷式冷却装置(30)において、ケーシング(2)の周壁(2c)の左側部分における前後方向中央部に、入口ヘッダ部(4)に通じる冷却液入口(7)が形成され、ケーシング(2)の周壁(2c)の右側部分における前後方向中央部に、出口ヘッダ部(5)に通じる冷却液出口(8)が形成されている。冷却液入口(7)および冷却液出口(8)の左右方向の幅は等しくなっており、両者(7)(8)は、入口ヘッダ部(4)および出口ヘッダ部(5)の長手方向(前後方向)の同一位置に形成されている。図示は省略したが、ケーシング(2)の冷却液入口(7)に、入口ヘッダ部(4)内に冷却液を送り込むアルミニウム製入口パイプが接続され、冷却液出口(8)に、出口ヘッダ部(5)内から冷却液を送り出すアルミニウム製出口パイプが接続されている。
【００５９】
液冷式冷却装置(30)に用いられている放熱器(31)は、長手方向をフィンプレート(11)の長手方向と交差する方向（前後方向）に向けた状態で全フィンプレート(11)のうちの一部の連続して並んだ複数のフィンプレート(11)のみにまたがるように配置された１つの流量均一化部材(32)を有している。
【００６０】
流量均一化部材(32)は、冷却液入口(7)および冷却液出口(8)における前後方向の幅よりも長尺でかつ冷却液流路(3)の幅のほぼ１／２の長さを有しており、、冷却液流路(3)の冷却液流れ方向上流側または下流側、ここでは冷却液流れ方向下流側において、冷却液流路(3)の幅方向の一定の範囲内に配置されており、冷却液入口(7)および冷却液出口(8)が、流量均一化部材(32)の全長の範囲内に位置している。冷却液流路(3)における流量均一化部材(32)よりも前側部分および後側部分の前後方向の幅は等しくなっている。
【００６１】
流量均一化部材(32)は、一定数の複数のフィンプレート(11)における出口ヘッダ部(5)側に配置された連結部材(12B)が圧入されている切り欠き(16)が形成されているのとは反対の側縁部、図示の例では上側縁部に形成された切り欠き(15)内に圧入されている。
【００６２】
その他の構成は、実施形態１の液冷式冷却装置(1)と同様である。
【００６３】
上記構成の液冷式冷却装置(30)において、入口パイプ(12)から冷却液入口(7)を通って入口ヘッダ部(4)内に流入した冷却液は、冷却液流路(3)に配置された放熱器(21)の隣り合う２つのフィンプレート(11)間の分割流路(14)に分流し、各分割流路(14)内を右方に流れる。冷却液流路(3)の分割流路(14)を右方に流れた冷却液は、出口ヘッダ部(5)内に入り、冷却液出口(5)を通って出口パイプ(13)に送り出される。
【００６４】
液冷式冷却装置(30)においては、冷却液入口(7)と冷却液出口(8)が、入口ヘッダ部(4)および出口ヘッダ部(5)の長手方向の中央部に長手方向の同一部分に来るように設けられているので、冷却液入口(7)から入口ヘッダ部(4)内に流入した冷却液は、冷却液流路(3)の冷却液入口(7)および冷却液出口(8)に近い部分を流れやすくなるとともに、冷却液入口(7)および冷却液出口(8)から遠い部分には流れにくくなる。
【００６５】
しかしながら、冷却液入口(7)および冷却液出口(8)の前後方向の幅よりも長尺の１つの流量均一化部材(32)が、冷却液流路(3)の冷却液流れ方向下流側において、冷却液入口(7)および冷却液出口(8)が、流量均一化部材(13)の全長の範囲内に位置するように、冷却液流路(3)の幅方向の一定の範囲内に配置されているので、流量均一化部材(32)が冷却液の流れに対する抵抗になる。その結果、冷却液入口(7)から入口ヘッダ部(4)内に流入した冷却液は、冷却液流路(3)における流量均一化部材(32)が配置された部分を流れにくくなるとともに、流量均一化部材(32)が配置されていない部分を流れやすくなる。したがって、冷却液流路(3)の幅方向の流量分布を均一化することが可能になり、流量分布が不均一になった場合の冷却性能のばらつきを抑制することができる。
【００６６】
実施形態３の液冷式冷却装置(30)において、流量均一化部材(32)が冷却液流路(3)の冷却液流れ方向上流側に配置されていてもよい。この場合、流量均一化部材(32)は、フィンプレート(11)における冷却液流れ方向上流側連結部材(12A)が圧入されている切り欠き(15)とは反対の側縁部、図示の例では下側縁部に形成された切り欠き(16)内に圧入される。
実施形態４
この実施形態は図１３〜図１５に示すものである。
【００６７】
図１３〜図１５は液冷式冷却装置の全体構成を示す。
【００６８】
実施形態４の液冷式冷却装置(40)に用いられている放熱器(41)は、長手方向をフィンプレート(11)の長手方向と交差する方向（前後方向）に向けた状態で全フィンプレート(11)のうちの一部の連続して並んだ複数のフィンプレート(11)のみにまたがるように配置された長さの異なる複数、ここでは２つの流量均一化部材(42)(43)を有している。
【００６９】
一方の流量均一化部材(42)は、冷却液入口(7)および冷却液出口(8)における前後方向の幅以上でかつ冷却液流路(3)の幅の１／２以上の長さを有しており、冷却液流路(3)の冷却液流れ方向上流側または下流側、ここでは冷却液流れ方向下流側において、冷却液流路(3)の幅方向の一定の範囲内に配置されており、冷却液入口(7)および冷却液出口(8)が、流量均一化部材(42)の全長の範囲内に位置している。冷却液流路(3)における流量均一化部材(42)よりも前側部分および後側部分の前後方向の幅は等しくなっている。当該流量均一化部材(42)は、冷却液流路(3)の幅方向の中間部に配置された一定数の複数のフィンプレート(11)における冷却液流れ方向下流側連結部材(12B)が圧入されている切り欠き(16)とは反対の側縁部、図示の例では上側縁部に形成された切り欠き(15)内に圧入されている。
【００７０】
他方の流量均一化部材(43)は、冷却液入口(7)および冷却液出口(8)における前後方向の幅以上でかつ冷却液流路(3)の幅の１／２以下であり、しかも一方の流量均一化部材(42)よりも短い長さを有しており、冷却液流路(3)の冷却液流れ方向上流側または下流側、ここでは冷却液流れ方向上流側において、冷却液流路(3)の幅方向の一定の範囲内に配置されており、冷却液入口(7)および冷却液出口(8)が、流量均一化部材(43)の全長の範囲内に位置している。冷却液流路(3)における流量均一化部材(43)よりも前側部分および後側部分の前後方向の幅は等しくなっている。当該流量均一化部材(43)は、冷却液流路(3)の幅方向の中間部に配置された一定数の複数のフィンプレート(11)における冷却液流れ方向上流側連結部材(12A)が圧入されている切り欠き(15)とは反対の側縁部、図示の例では下側縁部に形成された切り欠き(16)内に圧入されている。
【００７１】
その他の構成は、実施形態３の液冷式冷却装置(30)と同様である。
【００７２】
上記構成の液冷式冷却装置(40)において、入口パイプから冷却液入口(7)を通って入口ヘッダ部(4)内に流入した冷却液が、冷却液流路(3)に配置された放熱器(41)の隣り合う２つのフィンプレート(11)間の分割流路(14)内を右方に流れて出口ヘッダ部(5)内に入り、冷却液出口(5)を通って出口パイプに送り出される際に、実施形態３の液冷式冷却装置(30)と同様に、冷却液入口(7)から入口ヘッダ部(4)内に流入した冷却液は、冷却液流路(3)の冷却液入口(7)および冷却液出口(8)に近い部分を流れやすくなるとともに、冷却液入口(7)および冷却液出口(8)から遠い部分には流れにくくなる。
【００７３】
しかしながら、２つの流量均一化部材(42)(43)が冷却液の流れに対する抵抗になり、冷却液流路(3)の全幅における両流量均一化部材(42)(43)が存在する部分の抵抗が最も大きく、出口ヘッダ部(5)側の流量均一化部材(42)のみが存在する部分の抵抗が次に大きく、両流量均一化部材(42)(43)が存在しない部分の抵抗は最も小さくなる。その結果、冷却液入口(7)から入口ヘッダ部(4)内に流入した冷却液は、冷却液流路(3)における両流量均一化部材(42)(43)が配置された冷却液入口(7)および冷却液出口(8)に近い部分を最も流れにくくなるとともに、出口ヘッダ部(5)側の流量均一化部材(42)のみが存在する部分においても若干流れにくくなり、さらに両流量均一化部材(42)(43)が配置されていない部分を流れやすくなる。したがって、冷却液流路(3)の幅方向の流量分布を効果的に均一化することが可能になり、流量分布が不均一になった場合の冷却性能のばらつきを効果的に抑制することができる。
【００７４】
実施形態４の液冷式冷却装置(40)において、一方の長い流量均一化部材(42)が冷却液流路(3)の冷却液流れ方向上流側に配置され、他方の短い流量均一化部材(43)が冷却液流路(3)の冷却液流れ方向下流側に配置されていてもよい。この場合、長い流量均一化部材(42)は、フィンプレート(11)における冷却液流れ方向上流側連結部材(12A)が圧入されている切り欠き(15)とは反対の側縁部、図示の例では下側縁部に形成された切り欠き(16)内に圧入され、短い流量均一化部材(43)は、フィンプレート(11)における冷却液流れ方向下流側連結部材(12B)が圧入されている切り欠き(16)とは反対の側縁部、図示の例では上側縁部に形成された切り欠き(15)内に圧入される。
【００７５】
上記実施形態３および４の液冷式冷却装置(30)(40)において、冷却液入口(7)および冷却液出口(8)の左右方向の幅は等しくなっており、両者(7)(8)は、入口ヘッダ部(4)および出口ヘッダ部(5)の長手方向(前後方向)の同一位置に形成されているが、これに限定されるものではなく、冷却液入口(7)と冷却液出口(8)とは前後方向にずれて形成されていてもよい。この場合、冷却液入口(7)と冷却液出口(8)とは、ケーシング(2)の左右方向外側から見て部分的に重複していてもよいし、あるいは完全にずれていてもよい。
【産業上の利用可能性】
【００７６】
この発明による液冷式冷却装置は、電気自動車、ハイブリッド自動車、電車などに搭載される電力変換装置に用いられるＩＧＢＴなどのパワーデバイスを冷却するのに好適に用いられる。
【符号の説明】
【００７７】
(1)(20)(30)(40)：液冷式冷却装置
(2)：ケーシング
(2a)：頂壁
(2b)：底壁
(2c)：周壁
(3)：冷却液通路
(4)：入口ヘッダ部
(5)：出口ヘッダ部
(6)(21)(31)(41)：放熱器
(7)：冷却液入口
(8)：冷却液出口
(11)：フィンプレート
(12A)(12B)：連結部材
(13)(22)(23)(32)(42)(43)：流量均一化部材
(15)(16)：切り欠き
【図１】
2015225953.tif 000003
【図２】
2015225953.tif 000004
【図３】
2015225953.tif 000005
【図４】
2015225953.tif 000006
【図５】
2015225953.tif 000007
【図６】
2015225953.tif 000008
【図７】
2015225953.tif 000009
【図８】
2015225953.tif 000010
【図９】
2015225953.tif 000011
【図１０】
2015225953.tif 000012
【図１１】
2015225953.tif 000013
【図１２】
2015225953.tif 000014
【図１３】
2015225953.tif 000015
【図１４】
2015225953.tif 000016
【図１５】
2015225953.tif 000017